(57)【要約】【課題】頁が開きやすいばかりか意匠性も高い斜め断裁本を提供し、さらには小口側の断裁面に認知性の高い絵柄や文字を形成できる斜め断裁本を提供する。【解決手段】綴じ合わせた状態の出来本１０を作製し、その出来本１０を背から小口にかけて曲げるように変形させ、この曲げた状態で小口の化粧断ちを行って小口に斜めの断裁面Ａを形成する。小口側の断裁面Ａが背側に対して直線状に斜めになった斜め断裁本１１が得られる。小口側の同じ位置にそれぞれ同じ絵柄を配置してなる複数の頁を綴じ合わせておくことで、小口側に露出した各頁の端部により小口に絵柄が形成される。【選択図】図１
2005231161.tif 000002
【特許請求の範囲】
【請求項１】
断裁仕上げされた天地と小口を有する本であって、小口側の断裁面が背側に対して直線状に斜めになっていることを特徴とする斜め断裁本。
【請求項２】
請求項１に記載の斜め断裁本を製造する方法であって、綴じ合わせた状態の出来本を作製し、その出来本を背から小口にかけて曲げるように変形させ、この曲げた状態で小口の化粧断ちを行って小口に斜めの断裁面を形成する工程を含むことを特徴とする斜め断裁本の製造方法。
【請求項３】
断裁仕上げされた天地と小口を有する本であって、小口側の断裁面が背側に対して直線状に斜めになっており、小口側に露出した各頁の端部により小口に絵柄が形成されていることを特徴とする斜め断裁本。
【請求項４】
請求項３に記載の斜め断裁本を製造する方法であって、小口側の同じ位置にそれぞれ同じ絵柄を配置してなる複数の頁を綴じ合わせた状態の出来本を作製し、その出来本を背から小口にかけて曲げるように変形させ、この曲げた状態で小口の化粧断ちを行って小口に斜めの断裁面を形成する工程を含むことを特徴とする斜め断裁本の製造方法。
【発明の詳細な説明】
【技術分野】
【０００１】
本発明は、仕上げ断裁の工程を経て製造される本の技術分野に属するものである。
【背景技術】
【０００２】
通常、印刷物は、印刷した紙のままの状態では保存に不便でありまた読みにくいことから、互いに接合して雑誌や単行本のようないわゆる本の形態とすることが多い。このように印刷物を本の形態とする場合、現在の印刷法では、多数の頁を一度に大きな紙に印刷するので、まず印刷した紙を折る工程が必要となる。すなわち、印刷された紙を揃え、折機にかけて折丁とするのである。次に、この折丁を頁の順にしたがって丁合し、簡単なものは針金で綴じる。そして、仕上げ寸法に断裁するが、この場合、天地と小口を一度に切る三方断裁機を使用するのが一般的である。
【０００３】
上記した簡単な製本様式を並製本（仮製本）というのに対し、糸とじして背糊で仮固めした後で天地小口の三方を化粧断ちし、中身を丸背、角背又は角山に固め、別に表示貼りした表紙を着せて仕上げる製本様式を上製本（本製本）という。この様式では、表紙は天地及び小口ともに中身より大きく、必ず三方にチリがあり、見返しは糊で貼ってある。したがって、表紙の見返しの体裁がこのタイプでないものは、例え中身が糸とじであっても上製本ではない。
【非特許文献１】社団法人日本印刷学会編「印刷工学便覧」技報堂出版、１９９３年３月３０日、ｐ．７７３−７９２
【発明の開示】
【発明が解決しようとする課題】
【０００４】
上記した従来の本は、丸背の上製本以外について言えば、小口側の断裁面が背側に対して直線状に平行になっている。したがって、このような本は全体をたわませないと指先で頁を開きにくい。
【０００５】
また、従来の本において、小口側の断裁面で絵柄や文字を認識させる場合、丸背の上製本も含め、断裁位置に対して絵柄をずらして配置しておく必要がある。しかも、小口側の断裁面は直線状であるため、そこに形成される絵柄の認知性は低いものとなる。
【０００６】
本発明が解決しようとする課題は、頁が開きやすいばかりか意匠性も高い斜め断裁本を提供することであり、さらには小口側の断裁面に認知性の高い絵柄や文字を形成できる斜め断裁本を提供することにある。
【課題を解決するための手段】
【０００７】
請求項１に記載の発明である斜め断裁本は、断裁仕上げされた天地と小口を有する本であって、小口側の断裁面が背側に対して直線状に斜めになっていることを特徴としている。
【０００８】
請求項２に記載の斜め断裁本の製造方法は、請求項１に記載の斜め断裁本を製造する方法であって、綴じ合わせた状態の出来本を作製し、その出来本を背から小口にかけて曲げるように変形させ、この曲げた状態で小口の化粧断ちを行って小口に斜めの断裁面を形成する工程を含むことを特徴としている。
【０００９】
請求項３に記載の発明である斜め断裁本は、断裁仕上げされた天地と小口を有する本であって、小口側の断裁面が背側に対して直線状に斜めになっており、小口側に露出した各頁の端部により小口に絵柄が形成されていることを特徴としている。
【００１０】
請求項４に記載の斜め断裁本の製造方法は、請求項３に記載の斜め断裁本を製造する方法であって、小口側の同じ位置にそれぞれ同じ絵柄を配置してなる複数の頁を綴じ合わせた状態の出来本を作製し、その出来本を背から小口にかけて曲げるように変形させ、この曲げた状態で小口の化粧断ちを行って小口に斜めの断裁面を形成する工程を含むことを特徴としている。
【発明の効果】
【００１１】
請求項１に記載の発明である斜め断裁本は、断裁仕上げされた天地と小口を有する本であって、小口側の断裁面が背側に対して直線状に斜めになっていることを特徴としているので、斜めの小口によって今までにない新規な意匠性を発揮することができ、また小口にて各頁がずれた状態であるので指先により頁を開きやすいという利点がある。
【００１２】
請求項２に記載の発明である斜め断裁本の製造方法は、請求項１に記載の斜め断裁本を製造する方法であって、綴じ合わせた状態の出来本を作製し、その出来本を背から小口にかけて曲げるように変形させ、この曲げた状態で小口の化粧断ちを行って小口に斜めの断裁面を形成する工程を含むので、化粧断ちする本を事前に傾けることにより断裁角度を決定するため、製造される斜め断裁本の品質が安定し、生産性も高くなる。
【００１３】
請求項３に記載の発明である斜め断裁本は、断裁仕上げされた天地と小口を有する本であって、小口側の断裁面が背側に対して直線状に斜めになっており、小口側に露出した各頁の端部により小口に絵柄が形成されていることを特徴としているので、斜め断裁面から絵柄を認知することができ、しかも小口にて各頁がずれた状態になるので、背側と平行な直線状の断裁面に比べて認知性が高いものとなる。
【００１４】
請求項４に記載の斜め断裁本の製造方法は、請求項３に記載の斜め断裁本を製造する方法であって、小口側の同じ位置にそれぞれ同じ絵柄を配置してなる複数の頁を綴じ合わせた状態の出来本を作製し、その出来本を背から小口にかけて曲げるように変形させ、この曲げた状態で小口の化粧断ちを行って小口に斜めの断裁面を形成する工程を含むので、化粧断ちする本を事前に傾けることにより断裁角度を決定するため、製造される斜め断裁本の品質が安定し、生産性も高くなる。
【発明を実施するための最良の形態】
【００１５】
図１は本発明に係る斜め断裁本の製造方法を示す説明図であり、この例で製造する斜め断裁本は平針金とじや無線とじなどの並製本の範疇に入るものである。
【００１６】
まず、図１（ａ）に示すように、断裁仕上げ前の出来本１０を作製する。すなわち、印刷工程と折り工程を終えた目次、口絵、本文等の刷本１を丁合して針金や接着剤で綴じ合わせ、これを表紙２でくるんだ状態の出来本１０を作製する。
【００１７】
次に、出来本１０における天地小口の三方を化粧断ちして断裁仕上げを行う。この仕上げ断裁は三方断裁機にかけて行うが、この時、図１（ｂ）に示すように、出来本１０を背から小口にかけて曲げるように変形させる。具体的には、定盤上に斜めの台を取り付けておき、その台上に沿わせてセットすることで出来本を変形させることができる。そして、図１（ｃ）〜（ｅ）に示すように、この曲げた状態で化粧断ちを行って小口に斜めの断裁面Ａを形成する。図中ｃは小口庖丁を示している。もちろん、天地側の断裁と小口側の断裁を別に行っても構わない。
【００１８】
この断裁工程により、図１（ｅ）に示すように、小口側の断裁面Ａが背側に対して直線状に斜めになった斜め断裁本１１が製造される。この斜め断裁本１１は、斜めの小口によって今までにない新規な意匠性を発揮する。また、小口にて各頁がずれた状態であるので指先により頁を開きやすい。
【００１９】
図２は本発明に係る別の斜め断裁本の製造方法を簡略化して示す説明図である。この例で製造する斜め断裁本も図１で例示したものと同様、平針金とじや無線とじなどの並製本の範疇に入るものである。
【００２０】
まず、図２（ａ）に示すように、断裁仕上げ前の出来本１０を準備する。ここでは、印刷工程と折り工程を終えた目次、口絵、本文等の刷本１を丁合して針金や接着剤で綴じ合わせ、これを表紙２でくるんだ状態の出来本１０を作製するが、本文の刷本１における所定範囲の複数頁にはそれらの小口側の同じ位置にそれぞれ同じ絵柄３を配置してある。すなわち、所定範囲の複数枚の紙における同じ側の面の小口寄りの同じ位置に同じ絵柄３を配置するのである。
【００２１】
次に、出来本１０における天地小口の三方を化粧断ちして断裁仕上げを行う。この仕上げ断裁は三方断裁機にかけて先に説明したのと同様の方法で行う。すなわち、出来本１０を背から小口にかけて曲げるように変形させ、この曲げた状態で化粧断ちを行って図２（ｂ）に示すように小口に斜めの断裁面Ａを形成する。図中ｃは小口庖丁を示している。もちろん、天地側の断裁と小口側の断裁を別に行っても構わない。
【００２２】
この断裁工程により、図２（ｂ）及び図３に示すように、小口側の断裁面Ａが背側に対して直線状に斜めになっているとともに、小口側に露出した各頁の端部により小口に絵柄４が形成された斜め断裁本１１が製造される。この斜め断裁本１１は、斜め断裁面Ａから絵柄４を認知することができる。しかも、小口にて各頁がずれた状態になるので、背側と平行な直線状の断裁面に比べて認知性が高い。また、この斜め断裁本１１は、先のものと同様、斜めの小口によって今までにない新規な意匠性を発揮する。また、小口にて各頁がずれた状態であるので指先により頁を開きやすい。
【００２３】
なお、本発明の斜め断裁本は、上記で例示した平針金とじや無線とじなどの並製本に限るものではなく、丸背の上製本以外の本について適用することができる。
【図面の簡単な説明】
【００２４】
【図１】本発明に係る斜め断裁本の製造方法を示す説明図である。
【図２】本発明に係る別の斜め断裁本の製造方法を簡略化して示す説明図である。
【図３】図２の製造方法で作製された斜め断裁本を示す斜視図である。
【符号の説明】
【００２５】
１  刷本
２  表紙
３  絵柄
４  絵柄
１０  出来本
１１  斜め断裁本
Ａ  断裁面
【図１】
2005231161.tif 000003
【図２】
2005231161.tif 000004
【図３】
2005231161.tif 000005